(57)【要約】【課題】環境温度の変化が大きい状況でも光源特性が充分に高い状態で光源を駆動させることが可能な光源駆動回路基板および光源部品、並びに該光源部品を備える表示装置を提供する。【解決手段】本発明に係る光源駆動回路Ｘは、第１光源Ｌ１と基準温度以下の環境温度で第１光源Ｌ１より少なくとも一つの光源特性が高い第２光源Ｌ２とを駆動するためのコントローラＣを有している。このコントローラＣは、環境温度が基準温度を超えると第１光源Ｌ１を駆動するための第１ドライバＤ１を選択し、環境温度が基準温度以下になると第２光源Ｌ２を駆動するための第２ドライバＤ２を選択するセレクタ１０を有している。【選択図】図１
2008026508.tif 000002
【特許請求の範囲】
【請求項１】
第１光源と基準温度以下の環境温度で少なくとも一つの光源特性が前記第１光源より高い第２光源との駆動を制御するためのコントローラを備える光源駆動回路であって、
前記コントローラは、前記環境温度が前記基準温度を超えると前記第１光源を駆動するための第１ドライバを選択し、前記環境温度が前記基準温度以下になると前記第２光源を駆動するための第２ドライバを選択するセレクタを有することを特徴とする、光源駆動回路。
【請求項２】
前記セレクタは、前記環境温度に応じて特性が変化する温度依存部と、該温度依存部における特性変化に応じて、前記第１ドライバと前記第２ドライバとを切り替える切り替え部とを含んでなる、請求項１に記載の光源駆動回路。
【請求項３】
前記コントローラは、前記第１光源または前記第２光源に入力される電力の電圧または電流を調節するためのアジャスタを更に有する、請求項１または２に記載の光源駆動回路。
【請求項４】
前記コントローラは、前記第１光源または前記第２光源からの帰還信号を前記アジャスタに帰還させて該アジャスタを帰還制御するためのフィードバックコントローラを更に有する、請求項３に記載の光源駆動回路。
【請求項５】
前記基準温度は温度幅を有する、請求項１から４のいずれかに記載の光源駆動回路。
【請求項６】
前記光源特性は発光特性である、請求項１から５のいずれかに記載の光源駆動回路。
【請求項７】
前記第１光源は放電管であり、前記第２光源は発光ダイオードである、請求項１から６のいずれかに記載の光源駆動回路。
【請求項８】
第１光源と、基準温度以下の環境温度で少なくとも一つの光源特性が前記第１光源より高い第２光源と、請求項１から７のいずれかに記載の光源駆動回路と、を備えることを特徴とする、光源部品。
【請求項９】
表示パネルと、該表示パネルの一方主面に対向配置される請求項８に記載の光源部品と、を備えることを特徴とする、表示装置。
【発明の詳細な説明】
【技術分野】
【０００１】
本発明は、放電管や発光ダイオードなどの光源を駆動させるための光源駆動回路および該光源駆動回路を備える光源部品、並びに表示装置に関するものである。
【背景技術】
【０００２】
現在、幅広い分野において対象物に向けて光を出射する光源装置が開発されている。図５は、基本的な光源装置の回路構成の一例を表す図である。光源装置９０は、放電管や発光ダイオードなどの光源９１と、この光源９１を駆動するためのドライバ９２とを備えている。このような構成の光源装置９０は、例えば特許文献１に開示されている。
【特許文献１】特開平２−４１６６７号公報
【発明の開示】
【発明が解決しようとする課題】
【０００３】
しかしながら、従来構成の光源装置９０では、光源９１として例えば放電管や発光ダイオードを採用する場合において、以下のような問題点があった。光源９１として放電管を採用する場合、環境温度の低い状況（例えば、２０℃以下）で放電管を駆動すると、放電管内に存在する水銀が過度に凝縮してしまう場合がある。このような水銀の凝縮が発生すると、水銀の蒸気圧が低下するため、水銀蒸気圧により変動する放電管の発光効率が著しく低下してしまう。また、このように発光効率が著しく低下した状態で駆動し続けると、放電管自体に過度な負荷がかかることになるため、寿命が短くなってしまう場合がある。一方、光源９１として発光ダイオード（ＬＥＤ）を採用する場合、環境温度の高い状況（例えば、４０℃以上）でＬＥＤを駆動すると、ＬＥＤチップやＬＥＤチップを封止する封止樹脂が劣化してしまう場合がある。このようにＬＥＤチップや封止樹脂が劣化すると、光の透過率が低下し、光束減退が発生してしまう。また、ＬＥＤは、流す電流を増やすと出力（明るさ）が向上するものの、ＬＥＤチップ自体の発熱により環境温度が高まり、上述したのと同様の問題が発生してしまう。したがって、従来構成の光源装置９０は、屋内の照明器具や屋外の街灯、液晶表示装置のバックライトなどのように比較的環境温度の変化が大きい状況で使用されると、所定の光源特性を充分に高い状態に維持することが困難である。【０００４】
本発明は、このような事情のもとで考え出されたものであって、環境温度の変化が大きい状況でも所定の光源特性が充分に高い状態で光源を駆動させることが可能な光源駆動回路および該光源駆動回路を備える光源部品、並びに表示装置を提供すること、を目的とする。
【課題を解決するための手段】
【０００５】
本発明に係る光源駆動回路は、第１光源と基準温度以下の環境温度で少なくとも一つの光源特性が前記第１光源より高い第２光源との駆動を制御するためのコントローラを備える。前記コントローラは、前記環境温度が前記基準温度を超えると前記第１光源を駆動するための第１ドライバを選択し、前記環境温度が前記基準温度以下になると前記第２光源を駆動するための第２ドライバを選択するセレクタを有する。ここで、「基準温度」とは、セレクタにおいて第１ドライバと第２ドライバとの選択基準となる環境温度を意味しており、例えば第１光源の少なくとも一つの光源特性が充分に高い温度範囲の下限温度と、第２光源の該光源特性が充分に高い温度範囲の上限温度との間の温度範囲で任意に設定される温度である。「環境温度」とは、第１光源または第２光源の存在する環境、ひいては光源駆動回路の存在する環境の温度を意味している。「光源特性」とは、例えば発光特性や寿命特性のように、環境温度に依存して変動する光源の特性を意味している。なお、セレクタにおける選択基準は、環境温度が基準温度以上になると第１ドライバを選択し、環境温度が基準温度未満になると第２ドライバを選択するようにしてもよいし、環境温度が基準温度を超えると第１光源を駆動させる回路を選択し、環境温度が基準温度未満になると第２光源を駆動させる回路を選択するようにしてもよい。【０００６】
本光源駆動回路において前記セレクタは、前記環境温度に応じて特性が変化する温度依存部と、該温度依存部における特性変化に応じて、前記第１ドライバと前記第２ドライバとを切り替える切り替え部とを含んでなるのが好ましい。【０００７】
本光源駆動回路において前記コントローラは、前記第１光源または前記第２光源に入力される電力の電圧または電流を調節するためのアジャスタを更に有するのが好ましい。【０００８】
本光源駆動回路において前記コントローラは、前記第１光源または前記第２光源からの帰還信号を前記アジャスタに帰還させて該アジャスタを帰還制御するためのフィードバックコントローラを更に有するのが好ましい。また、前記コントローラは、前記第１光源または前記第２光源からの帰還信号を前記アジャスタに帰還させて該アジャスタを帰還制御するためのフィードバックコントローラを更に有するのが好ましい。【０００９】
本光源駆動回路において前記基準温度は温度幅（温度範囲）を有するのが好ましい。【００１０】
本光源駆動回路において前記光源特性は発光特性であるのが好ましい。【００１１】
本光源駆動回路において前記第１光源は放電管であり、前記第２光源は発光ダイオードであるのが好ましい。【００１２】
本発明に係る光源部品は、第１光源と、基準温度以下の環境温度で前記第１光源より光源特性の高い第２光源と、本発明に係る光源駆動回路と、を備えることを特徴としている。【００１３】
本発明に係る表示装置は、表示パネルと、該表示パネルの一方主面に対向配置される本発明に係る光源部品と、を備えることを特徴としている。
【発明の効果】
【００１４】
本発明に係る光源駆動回路は、環境温度が基準温度を超えると第１ドライバを選択し、環境温度が基準温度以下になると第２ドライバを選択するセレクタを有するコントローラを備えている。そのため、本光源駆動回路では、環境温度が基準温度以下の状況（第１光源の使用環境としては望ましくない状況）で第１光源を駆動させずに、上記状況で少なくとも１つの光源特性（例えば発光特性）が第１光源より高い第２光源を駆動させることができる。したがって、本光源駆動回路では、環境温度の変化が大きい状況でも所定の光源特性が充分に高い状態で第１光源または第２光源を駆動することができるのである。【００１５】
本光源駆動回路において、セレクタが環境温度に応じて特性が変化する温度依存部と該温度依存部における特性変化に応じて第１ドライバと第２ドライバとを切り替える切り替え部とを含んでいる場合、セレクタは環境温度に応じて自律的に第１光源または第２光源の駆動を選択することができる。したがって、本構成の光源駆動回路では、環境温度を検知するための温度センサや、温度センサからの出力信号を処理して各ドライバを選択するためのマイクロコンピュータなどを採用せずに済むため、回路構造の簡単化、ひいては該回路を備える装置の小型化を図ることができる。【００１６】
本光源駆動回路において、コントローラが第１光源または第２光源に入力される電力の電圧または電流を調節するためのアジャスタを更に有する場合、第１光源または第２光源に入力される電力の電圧または電流を任意の値に調節することができる。したがって、本構成の光源駆動回路では、一つの電力源から第１光源および第２光源のいずれにも最適な電力供給を行なうことができる。【００１７】
本光源駆動回路において、コントローラが第１光源または第２光源からの帰還信号をアジャスタに帰還させてアジャスタを帰還制御するためのフィードバックコントローラを更に有する場合、アジャスタに帰還信号を帰還させることにより、第１光源または第２光源に供給する電力の電圧または電流を帰還制御することができる。そのため、本構成の光源駆動回路では、アジャスタを介して出力される電力の電圧または電流をより早く設定値に到達させることができる。したがって、本構成の光源駆動回路は、第１光源または第２光源に入力される電力の電圧または電流の安定化、ひいては第１光源または第２光源の発光量の安定化を図るうえで好適である。【００１８】
本光源駆動回路において、基準温度が温度幅（温度範囲）を有する場合、例えば基準温度よりも低い温度から該基準温度の温度幅における上限温度を上回ると第２光源から第１光源に切り替え、基準温度よりも高い温度から該基準温度の温度幅における下限温度を下回ると第１光源から第２光源に切り替えるように、第２光源から第１光源への切り替え温度と第１光源から第２光源への切り替え温度とを異なる温度で設定することができる。したがって、本構成の光源駆動回路では、例えば環境温度が基準温度付近で変動する場合でも、基準温度の温度幅がいわゆる遊びとして機能することにより、第１光源と第２光源との駆動が頻繁に切り替わってしまうのを抑制することができる。【００１９】
本光源駆動回路において、光源特性が発光特性である場合、環境温度が基準温度以下の状況で発光特性（例えば発光効率）が第１光源よりも高い第２光源を駆動させることにより、発光特性の低い状況（使用環境としては望ましくない状況）で第１光源を駆動させずにすむので、第１光源にかかる負荷を充分に低減することができる。したがって、本構成の光源駆動回路では、寿命の短縮を充分に抑制することができるのである。また、本構成の光源駆動回路では、発光特性が発光効率の場合、発光効率の高い状態で、第１光源または第２光源を駆動させることができるので、所望の発光量を確保するのに要する印加電圧を充分に低減することできる。その結果、本構成の光源駆動回路では、第１光源または第２光源での消費電力を充分に低減することができる。【００２０】
本光源駆動回路において、第１光源が放電管であり、第２光源が発光ダイオードである場合、環境温度が基準温度を超える状況では比較的に高温時で発光効率（光源特性）の高い放電管の駆動が選択され、環境温度が基準温度以下の状況では比較的に低温時で発光効率の高い発光ダイオードの駆動が選択されるため、放電管の発光光率が低い状況（環境温度が基準温度以下の状況）で放電管を駆動させずにすむので、放電管にかかる負荷を充分に低減することができる。したがって、本構成の光源駆動回路では、放電管の寿命の短縮を充分に抑制することができるのである。また、本構成の光源駆動回路では、発光効率の高い状態で、放電管または発光ダイオードを駆動させることができるので、所望の発光量を確保するのに要する印加電圧を充分に低減することができる。その結果、本構成の光源駆動回路では、放電管または発光ダイオードでの消費電力を充分に低減することができるのである。【００２１】
本発明に係る光源部品は、本発明に係る光源駆動回路を備えているため、上述した本発明に係る光源駆動回路と同様の効果を享受できる。すなわち、本光源部品では、環境温度の変化が大きい状況でも光源特性が充分に高い状態で第１光源または第２光源を駆動することができるのである。【００２２】
本発明に係る表示装置は、表示パネルの一方主面に対向配置される本発明に係る光源部品を備えているため、上述した本発明に係る光源部品と同様の効果を享受できる。すなわち、本表示装置では、環境温度の変化が大きい状況でも光源特性が充分に高い状態で第１光源または第２光源を駆動することができるのである。
【発明を実施するための最良の形態】
【００２３】
図１は、本発明に係る光源駆動回路Ｘの概略回路構成を表す図であり、（ａ）はその全体図であり、（ｂ）はその要部拡大図である。【００２４】
光源駆動回路Ｘは、例えば図示しない基板上に形成されるコントローラＣを備え、第１光源Ｌ１または第２光源Ｌ２を駆動させて所望の発光量の光を発するように構成されている。第１光源Ｌ１は、環境温度が基準温度を超える状況で少なくとも一つの光源特性が充分に高い光源であり、第２光源Ｌ２は、環境温度が基準温度以下の状況で該光源特性が充分に高い光源である。第１光源Ｌ１および第２光源Ｌ２としては、冷陰極放電管、熱陰極放電管、発光ダイオード、ハロゲンランプ、キセノンランプ、無機エレクトロルミネセンス、有機エレクトロルミネセンス、白熱灯などが挙げられる。ここで、本実施形態に係る環境温度とは、第１光源Ｌ１または第２光源Ｌ２の存在する環境、ひいては光源駆動回路Ｘの存在する環境の温度を意味している。また、本実施形態に係る光源特性とは、例えば発光特性や寿命特性のように、環境温度に依存して変動する第１光源Ｌ１および第２光源Ｌ２の特性を意味している。なお、本実施形態においては、第１光源Ｌ１および第２光源Ｌ２を駆動するのに要する必須の構成（例えば、放電管を光源とする場合の発振回路のように公知の構成）については、説明を省略するが当然に有しているものとする。【００２５】
コントローラＣは、セレクタ１０と、アジャスタ２０と、フィードバックコントローラ３０と、配線４０とを有し、第１光源Ｌ１と第２光源Ｌ２との駆動を制御するように構成されている。【００２６】
セレクタ１０は、環境温度に応じて第１光源Ｌ１を駆動する第１ドライバＤ１または第２光源Ｌ２を駆動する第２ドライバＤ２を選択するためのものであり、配線４０を介して第１光源Ｌ１および第２光源Ｌ２に対して電気的に接続されている。なお、本実施形態においてセレクタ１０は、温度依存部１１、切り替え部１２、および温度幅付与部１３を含んで構成されている。【００２７】
温度依存部１１は、環境温度に応じて特性（電気的特性や機械的特性など）が変化する部位であり、環境温度の変化を特性の変化に変換する機能を担うものである。温度依存部１１としては、感温素子などが挙げられる。ここで、感温素子とは、サーミスタや感温ダイオードなどの感温半導体素子、感温コンデンサや感温インダクタなどの感温リアクタンス素子、水晶振動子などの感温共振子などである。なお、本実施形態において温度依存部１１は、図１（ｂ）に示すように、環境温度の変化に応じて電気抵抗の大きさが変動するサーミスタにより構成されている。【００２８】
切り替え部１２は、温度依存部１１の特性変化に応じて、第１ドライバＤ１（第１光源Ｌ１）と第２ドライバＤ２（第２光源Ｌ２）とを切り替える機能を担うものであり、配線４０を介して温度依存部１１に対して電気的に接続されるとともに第１ドライバＤ１（第１光源Ｌ１）および第２ドライバＤ２（第２光源Ｌ２）に対して電気的に接続される。切り替え部１２としては、トランジスタ、オペアンプなどを含でなる回路などが挙げられる。本実施形態において切り替え部１２は、図１（ｂ）に示すように、比較器１２１、ｐＭＯＳトランジスタ１２２、およびｎＭＯＳトランジスタ１２３を含んで構成されており、比較器１２１からの出力信号に基づいて、ｐＭＯＳトランジスタ１２２およびｎＭＯＳトランジスタ１２３の駆動を制御している。比較器１２１は、電気抵抗器Ｒ１〜Ｒ５およびオペアンプＡを含んでなり、温度依存部（サーミスタ）１１により電気抵抗が変動する比較部位１２１ａと、温度依存部１１により電気抵抗が変動しない比較部位１２１ｂとの電圧値を比較して、オペアンプからの出力信号を環境温度に応じて切り替えるものである。ｐＭＯＳトランジスタ１２２は、ゲートに負の電圧が印加されると、ドレインとソースとの間で電気的に導通される素子である。また、ｎＭＯＳトランジスタ１２３は、ゲートに正の電圧が印加されると、ドレインとソースとの間で電気的に導通される素子である。このような構成によると、環境温度が基準温度を超えた時点における比較部位１２１ａの電圧値と比較部位１２１ｂの電圧値とを比較してオペアンプＡからの出力信号を切り替えるように設定することで、環境温度が基準温度を超える状況でｐＭＯＳトランジスタ１２２（ひいては、第１光源Ｌ１）を駆動させ、環境温度が基準温度以下の状況でｎＭＯＳトランジスタ１２３（ひいては、第２光源Ｌ２）を駆動させることができるのである。【００２９】
温度幅付与部１３は、基準温度に所定の温度幅（温度範囲）を付加するためのものであり、電気抵抗器Ｒ６，Ｒ７およびオペアンプＡを含んで構成されている。温度幅付与部１３を構成するものとしては、履歴特性を有する電気回路などが挙げられる。ここで、履歴特性を有する電気回路とは、シュミットトリガ回路などである。【００３０】
アジャスタ２０は、第１光源Ｌ１または第２光源Ｌ２に入力される電力の電圧を調節するためのものであり、配線４０を介して外部電源Ｅおよびセレクタ１０（ひいては、第１光源Ｌ１および第２光源Ｌ２）に対して電気的に接続されている。アジャスタ２０を構成するものとしては、昇圧回路や降圧回路、昇圧および降圧の機能を備えた直流−直流電圧変換回路などが挙げられる。なお、外部電源Ｅとしては、直流電圧源、交流電圧源、定電流源などが挙げられる。【００３１】
フィードバックコントローラ３０は、アジャスタ２０を帰還制御するためのものであり、第１光源Ｌ１または第２光源Ｌ２からの帰還信号をアジャスタ２０に帰還させるべく、配線４０を介して第１光源Ｌ１および第２光源Ｌ２と調節手段１０とに対して電気的に接続されている。フィードバックコントローラ３０としては、トランジスタ、オペアンプ、リレー、メカニカルリレー、プレクサなどを含でなる回路などが挙げられる。【００３２】
配線４０は、第１ドライバＤ１（第１光源Ｌ１）、第２ドライバＤ２（第２光源Ｌ２）、外部電源Ｅ、セレクタ１０、アジャスタ２０、フィードバックコントローラ３０などを電気的に接続するためのものである。配線４０の構成材料としては、銅、銀、金、アルミニウム、白金、クロムなどの金属およびこれらの金属合金などが挙げられる。【００３３】
本実施形態に係る光源駆動回路ＸのコントローラＣは、環境温度が基準温度を超えると第１ドライバＤ１を選択し、環境温度が基準温度以下になると第２ドライバＤ２を選択するセレクタ１０を有するコントローラＣを備えている。そのため、光源駆動回路Ｘでは、環境温度が基準温度以下の状況（第１光源Ｌ１の使用環境としては望ましくない状況）で第１光源Ｌ１を駆動させずに、上記状況で少なくとも１つの光源特性（例えば発光特性）が第１光源Ｌ１より高い第２光源Ｌ２を駆動させることができる。したがって、光源駆動回路Ｘでは、環境温度の変化が大きい状況でも所定の光源特性が充分に高い状態で第１光源Ｌ１または第２光源Ｌ２を駆動することができるのである。【００３４】
光源駆動回路Ｘは、セレクタ１０が環境温度に応じて特性が変化する温度依存部１１と、温度依存部１１における特性変化に応じて第１ドライバＤ１（第１光源Ｌ１）と第２ドライバＤ２（第２光源Ｌ２）とを切り替える切り替え部１２とを含んでいるので、セレクタ１０は環境温度に応じて自律的に第１光源Ｌ１または第２光源Ｌ２の駆動を選択することができる。したがって、光源駆動回路Ｘでは、環境温度を検知するための温度センサや、温度センサからの出力信号を処理して各ドライバＤ１，Ｄ２を選択するためのマイクロコンピュータなどを採用せずにすむため、回路構造の簡単化、ひいては光源駆動回路Ｘを備える装置の小型化を図ることができるのである。【００３５】
光源駆動回路Ｘは、コントローラＣが第１光源Ｌ１または第２光源Ｌ２に入力される電力の電圧または電流を調節するためのアジャスタ２０を有するので、第１光源Ｌ１または第２光源Ｌ２に入力される電力の電圧または電流を任意の値の電圧に調節することができる。したがって、光源駆動回路Ｘでは、一つの外部電源Ｅから第１光源Ｌ１および第２光源Ｌ２のいずれにも最適な電力供給を行なうことができる。【００３６】
光源駆動回路Ｘは、コントローラＣが第１光源Ｌ１または第２光源Ｌ２からの帰還信号をアジャスタ２０に帰還させてアジャスタ２０を帰還制御するためのフィードバックコントローラ３０を有するので、アジャスタ２０に帰還信号を帰還させることにより、第１光源Ｌ１または第２光源Ｌ２に供給する電力の電圧を帰還制御することができる。そのため、光源駆動回路Ｘでは、アジャスタ２０を介して出力される電力の電圧または電流をより早く設定値に到達させることができる。したがって、光源駆動回路Ｘは、第１光源Ｌ１または第２光源Ｌ２に入力される電力の電圧または電流の安定化、ひいては第１光源Ｌ１または第２光源Ｌ２の発光量の安定化を図るうえで好適である。【００３７】
光源駆動回路Ｘは、コントローラＣが基準温度に温度幅（温度範囲）を付与する温度幅付与部１３を有するので、例えば基準温度よりも低い温度から該基準温度の温度幅における上限温度を上回ると第２光源Ｌ２から第１光源Ｌ１に切り替え、基準温度よりも高い温度から該基準温度の温度幅における下限温度を下回ると第１光源Ｌ１から第２光源Ｌ２に切り替えるように、第２光源Ｌ２から第１光源Ｌ１への切り替え温度と第１光源Ｌ１から第２光源Ｌ２への切り替え温度とを異なる温度で設定することができる。したがって、光源駆動回路Ｘでは、環境温度が基準温度付近で変動する場合でも、基準温度の温度幅がいわゆる遊びとして機能することにより、第１光源Ｌ１と第２光源Ｌ２との駆動が頻繁に切り替わってしまうのを抑制することができるのである。【００３８】
光源駆動回路Ｘでは、光源特性が発光特性である場合、環境温度が基準温度以下の状況で発光特性（例えば発光効率）が第１光源Ｌ１よりも高い第２光源Ｌ２を駆動させることにより、発光特性の低い状況（使用環境としては望ましくない状況）で第１光源Ｌ１を駆動させずにすむので、第１光源Ｌ１にかかる負荷を充分に低減することができる。したがって、光源駆動回路Ｘでは、寿命の短縮を充分に抑制することができるのである。また、光源駆動回路Ｘでは、発光特性が発光効率である場合、発光効率の高い状態で、第１光源Ｌ１または第２光源Ｌ２を駆動させることができるので、所望の発光量を確保するのに要する印加電圧を充分に低減することができる。その結果、光源駆動回路Ｘでは、第１光源Ｌ１または第２光源Ｌ２での消費電力を充分に低減することができるのである。【００３９】
図２は、本発明の実施形態に係る光源駆動回路Ｘを備える光源部品Ｙの概略構成を表す平面図である。なお、本実施形態においては、第１光源Ｌ１として冷陰極放電管、第２光源Ｌ２として複数の発光ダイオードを採用して説明する。【００４０】
光源部品Ｙは、光源駆動回路Ｘと、第１光源Ｌ１と、第２光源Ｌ２と、支持基体５０とを備えている。【００４１】
支持基体５０は、第１光源Ｌ１および第２光源Ｌ２を支持するためのものである。支持基体５０の外形形状は略凹形状であり、その凹部内に第１光源Ｌ１および第２光源Ｌ２が位置している。支持基体５０の構成材料としては、ポリカーボネート樹脂などの樹脂、ステンレス（ＳＵＳ）やアルミニウム（Ａｌ）などの金属、セラミックス、およびこれらの複合材料などが挙げられる。なお、本実施形態における支持基体５０の外形形状は、第１光源Ｌ１または第２光源Ｌ２から出射される光を所定方向に導くべく略凹形状とされているが、このような外形形状には限られない。【００４２】
また、本実施形態では、支持基体５０における凹部の側面および底面に反射部材（図示せず）が設けられている。この反射部材は、第１光源Ｌ１および第２光源Ｌ２から出射される光を反射させるためのものである。このような構成によると、第１光源Ｌ１または第２光源Ｌ２から出射される光をより効率的に所定方向に導くうえで好適である。なお、この反射部材の構成材料としては、ＳＵＳやＡｌなどの金属、ポリカーボネートなどの白色系樹脂、これらの複合材料、およびポリエチレンテレフタラートなどの樹脂製基体の表面に金属膜を形成したものなどが挙げられる。【００４３】
本発明に係る光源部品Ｙは、本発明に係る光源駆動回路Ｘを備えていることから、上述の光源駆動回路Ｘと同様の効果を享受できる。すなわち、光源部品Ｙは、環境温度の変化が大きい状況でも光源特性が充分に高い状態で第１光源Ｌ１または第２光源Ｌ２を駆動することができるのである。【００４４】
光源部品Ｙは、第１光源Ｌ１として冷陰極放電管、第２光源Ｌ２として発光ダイオードを採用しているので、環境温度が基準温度を超える状況では比較的に高温時で発光効率の高い冷陰極放電管の駆動が選択され、環境温度が基準温度以下の状況では比較的に低温時で発光効率の高い発光ダイオードの駆動が選択されるため、冷陰極放電管の発光光率が低下する環境温度が基準温度以下の状況（冷陰極放電管の使用環境としては望ましくない状況）で冷陰極放電管を駆動させずにすむので、冷陰極放電管にかかる負荷を充分に低減することができる。したがって、光源部品Ｙでは、冷陰極放電管の寿命の短縮を充分に抑制することができるのである。また、光源部品Ｙでは、発光効率の高い状態で、冷陰極放電管または発光ダイオードを駆動させることができるので、所望の発光量を確保するのに要する印加電圧を充分に低減することができる。その結果、光源部品Ｙでは、冷陰極放電管または発光ダイオードでの消費電力を充分に低減することができるのである。【００４５】
図３は、本発明の実施形態に係る光源部品Ｙを備える液晶表示装置Ｚの概略構成を表す断面図である。液晶表示装置Ｚは、光源部品Ｙと、液晶表示パネル６０と、筐体７０とを備えている。【００４６】
図４は液晶表示パネル６０の概略構成を表す図であり、（ａ）はその斜視図、（ｂ）は断面図である。【００４７】
液晶表示パネル６０は、液晶６１、第１基体６２、第２基体６３、および封止部材６４を備えている。また、液晶表示パネル６０には、第１基体６２と第２基体６３との間に液晶６１を介在させ、液晶６１を封止部材６４によって封止することにより表示領域Ｄが形成されている。【００４８】
液晶６１は、電気的、光学的、力学的、あるいは磁気的な異方性を示し、固体の規則性と液体の流動性を併せ持つ液晶を含んでなる層である。この液晶としては、ネマティック液晶、コレステリック液晶、スメクティック液晶などが挙げられる。【００４９】
第１基体６２は、液晶６１を封止するのに寄与するものであり、透明基板６２１および透明電極（図示せず）を含んで構成される。透明基板６２１は、上記透明電極を支持するためのものであり、その構成材料としては、その主面に対して交差する方向に光を適切に透過させるべく、ガラスや透光性プラスチックなどが挙げられる。第１基体６２の透明電極は、液晶６１の液晶に所定の電圧を印加するための部材であり、その構成材料としては、ＩＴＯ（Indium Tin Oxide）や酸化錫などの透光性を有する導電部材が挙げられる。ここで、透光性とは、光を基準値以上の光量で透過させる性質を意味する。なお、第１基体６２は、光を遮る（光の透過量を所定値以下にする）ための遮光膜、光を反射するための光反射膜、入射した光のうち所定の波長を選択的に吸収し、所定の波長のみを選択的に透過させるためのカラーフィルタ、光反射膜やカラーフィルタなどを配置することにより生じる凹凸を平坦化するための平坦化膜、およびマクロ的にランダムな方向を向く（規則性が小さい）液晶６１の液晶分子を所定方向に配向させるための配向膜などを備えていてもよい。【００５０】
第２基体６３は、液晶６１を封止するのに寄与するものであり、透明基板６３１および透明電極（図示せず）を含んで構成される。透明基板６３１は、上記透明電極を支持するためのものであり、その構成材料としては透明基板６２１を構成する材料と同様のものが挙げられる。第２基体６３の透明電極は、液晶６１の液晶に所定の電圧を印加するための部材であり、その構成材料としては第１基体６２の透明電極を構成する材料と同様の物が挙げられる。【００５１】
封止部材６４は、第１基体６２と第２基体６３との間に液晶６１を封止するのに寄与するとともに、第１基体６２と第２基体６３とを所定間隔で離間した状態で接合するためのものである。封止部材６４としては、エポキシ樹脂接着剤やアクリル樹脂接着剤などが挙げられる。【００５２】
筐体７０は、液晶表示パネル６０および光源部品Ｙを収容するための部材であり、上側筐体７１および下側筐体７２を含んで構成される。筐体７０を構成する材料としては、例えばポリカーボネート樹脂などの樹脂、ＳＵＳやＡｌなどの金属が挙げられる。【００５３】
本発明に係る液晶表示装置Ｚは、本発明に係る光源部品Ｙを備えていることから、上述した光源部品Ｙと同様の効果を享受することができる。すなわち、液晶表示装置Ｚは、環境温度の変化が大きい状況でも光源特性が充分に高い状態で第１光源Ｌ１または第２光源Ｌ２を駆動することができるのである。【００５４】
以上、本発明の具体的な実施形態を示したが、本発明はこれに限定されるものではなく、発明の思想から逸脱しない範囲内で種々の変更が可能である。【００５５】
本実施形態に係る光源駆動回路Ｘでは、第１光源Ｌ１と第２光源Ｌ２との２種類の光源を採用する場合の構成について説明しているが、光源の種類は３種類以上としてもよい。【００５６】
本実施形態に係る光源駆動回路ＸのコントローラＣでは、第１光源Ｌ１を駆動する回路と第２光源Ｌ２を駆動する回路とが一部融合された構造となっているが、このような構造には限られず、例えば第１光源Ｌ１を駆動する回路と第２光源Ｌ２を駆動する回路とを各々独立した回路としてもよい。【００５７】
本実施形態に係る光源駆動回路Ｘのセレクタ１０は、温度依存部１１および切り替え部１２を含む構成に代えて、例えば環境温度を検知するための温度センサと、該温度センサからの出力信号を処理して駆動させる光源を選択するためのマイクロコンピュータとを含む構成としてもよい。このような構成における温度幅付与部１３としては、マイクロコンピュータの演算部位などが挙げられる。【００５８】
本実施形態に係る光源駆動回路基板Ｘのセレクタ１０は、温度幅付与部１３を含まない構成としてもよい。【００５９】
本実施形態に係る光源駆動回路Ｘのセレクタ１０は、第１光源Ｌ１と第２光源Ｌ２との駆動が切り替え状態（環境温度が基準温度を超える、あるいは、環境温度が基準温度以下となる）に至ると同時的に実際の切り替えを行う構成に代えて、第１光源Ｌ１と第２光源Ｌ２との駆動が切り替え状態に至ってから所定時間経過後の状態を再度確認したうえで実際の切り替えを行うか否かの判断を行う構成（いわゆる遅延手段）としてもよい。このような構成によると、例えば環境温度が基準温度の温度幅付近で変動する場合でも、遅延手段が駆動の切り替え時期を遅延させるため、第１光源Ｌ１と第２光源Ｌ２との駆動が頻繁に切り替わってしまうのを抑制することができる。【００６０】
本実施形態に係る光源駆動回路Ｘのアジャスタ２０は、第１光源Ｌ１または第２光源Ｌ２に入力される電力の電圧を調節するための電圧調節手段に代えて、第１光源Ｌ１または第２光源Ｌ２に入力される電力の電流を調節するための電流調節手段としてもよい。このような構成によると、第１光源Ｌ１または第２光源Ｌ２の発光量を電流値により調節することができる。なお、電流調節手段を構成するものとしては、可変抵抗器や定電流回路などが挙げられる。【００６１】
本実施形態では、表示パネルとして液晶表示パネル６０を用いて説明したが、液晶表示パネル６０に代えて、他の自発光しない表示パネルなどを採用しても同様の効果を奏することができる。自発光しない表示パネルとしては、電子ペーパなどの反射光を利用するものでフロント側に光源を配置するものや透光性を有する看板などが挙げられる。【００６２】
本実施形態に係る液晶表示装置Ｚは、液晶の複屈折性（位相のズレ）などにより楕円偏光状態に変換される直線偏光を、楕円偏光状態から直線偏光に近い状態に変換するための位相差フィルムや、所定の振動方向の光を選択的に透過させるための偏光板などを備えていてもよい。
【図面の簡単な説明】
【００６３】
【図１】本発明の実施形態に係る光源装置用回路基板の概略回路構成を表す図であり、（ａ）はその全体図、（ｂ）はその部分拡大図である。
【図２】本発明に実施形態に係る光源装置用回路基板を備える光源部品の概略構成を表す平面図である。
【図３】本発明に実施形態に係る光源部品を備える表示装置Ｚの概略構成を表す断面図である。
【図４】図３に示す液晶表示パネルの概略構成を表す図であり、（ａ）はその斜視図、（ｂ）はその断面図である。
【図５】従来の光源装置の一例の回路構成を表す図である。
【符号の説明】
【００６４】
Ｘ    光源装置用回路基板
Ｙ    光源部品
Ｚ    液晶表示装置
Ｃ    駆動回路
Ｅ    外部電源
Ｌ１    第１光源
Ｌ２    第２光源
１０    選択手段
１１    温度依存部
１２    切り替え部
１３    温度幅付与部
２０    調整手段
３０    制御手段
４０    配線
５０    支持基体
６０    液晶表示パネル
６１    液晶層
６２    第１基体
６３    第２基体
６４    封止部材
７０    筐体
７１    上側筐体
７２    下側筐体
【図１】
2008026508.tif 000003
【図２】
2008026508.tif 000004
【図３】
2008026508.tif 000005
【図４】
2008026508.tif 000006
【図５】
2008026508.tif 000007
【手続補正書】
【提出日】平成19年11月29日(2007.11.29)
【手続補正１】
【補正対象書類名】特許請求の範囲
【補正対象項目名】全文
【補正方法】変更
【補正の内容】
【特許請求の範囲】
【請求項１】
第１光源と、
環境温度に応じて少なくとも一つの光源特性が前記第１光源とは異なる第２光源と、
前記環境温度が基準温度を超えると前記第１光源を駆動する第１ドライバを選択し且つ前記環境温度が前記基準温度以下になると前記第１光源とは異なる種類の第２光源を駆動する第２ドライバを選択するセレクタを有し、前記第１光源および前記第２光源を含む複数種の光源の駆動を制御するコントローラと、を備えることを特徴とする、光源駆動回路。
【請求項２】
前記セレクタは、前記環境温度に応じて特性が変化する温度依存部と、該温度依存部における特性変化に応じて、前記第１ドライバと前記第２ドライバとを切り替える切り替え部とを含んでなる、請求項１に記載の光源駆動回路。
【請求項３】
前記コントローラは、前記第１光源または前記第２光源に入力される電力の電圧または電流を調節するアジャスタを更に有する、請求項１に記載の光源駆動回路。
【請求項４】
前記コントローラは、前記第１光源または前記第２光源からの帰還信号を前記アジャスタに帰還させて該アジャスタを帰還制御するフィードバックコントローラを更に有する、請求項３に記載の光源駆動回路。
【請求項５】
前記基準温度は温度幅を有する、請求項１に記載の光源駆動回路。
【請求項６】
前記光源特性は発光特性である、請求項１に記載の光源駆動回路。
【請求項７】
前記第１光源は放電管であり、前記第２光源は発光ダイオードである、請求項１に記載の光源駆動回路。
【請求項８】
環境温度に応じて少なくとも一つの光源特性が異なる複数種の光源と、請求項１から７のいずれかに記載の光源駆動回路と、を備えることを特徴とする、光源部品。
【請求項９】
表示パネルと、該表示パネルの一方主面に対向配置される請求項８に記載の光源部品と、を備えることを特徴とする、表示装置。
【国際調査報告】
2008026508.tif 000008
2008026508.tif 000009